(57)【要約】【課題】必要なときに、必要な位置に、必要な照度を確保することのできる照明装置を備えたシステムキッチン。【解決手段】本発明のシステムキッチンは、カウンター（６）面よりも下方に埋め込まれた消灯状態と、カウンター面から上方へ突出した点灯状態との間で切り換え可能なポップアップ型の照明装置（７）を備えている。照明装置は、ほぼ鉛直方向に延びた円筒形状の光透過部材（７ａ）と、この光透過部材を貫通してほぼ鉛直方向に延びた棒状部材（７ｂ）と、この棒状部材の上端に設けられた光源（７ｃ）とを有する。【選択図】  図２
2005052166.tif 000002
【特許請求の範囲】
【請求項１】
不要時にはカウンター面下方に埋め込み得る照明装置であって、使用時には該照明装置をカウンター面上方に突出させ得ることを特徴とする照明装置付きシステムキッチン。
【請求項２】
カウンター面下方に埋め込まれた照明装置の上端面を押すとカウンター面上方に突出して点灯状態となるようにしたことを特徴とする請求項１に記載のシステムキッチン。
【請求項３】
前記照明装置は、ほぼ鉛直方向に延びた円筒形状の光透過部材と、該光透過部材を貫通してほぼ鉛直方向に延びた棒状部材と、該棒状部材の上端に設けられた光源とを有することを特徴とする請求項１または２に記載のシステムキッチン。
【請求項４】
前記照明装置は、前記光源を前記光透過部材の上端に近接させて前記光源からの光の大部分を前記光透過部材の内部へ導く第１点灯状態と、前記光源を前記光透過部材の上端から離間させて前記光源からの光の大部分を前記カウンター面へ導く第２点灯状態との間で切り換え可能に構成されていることを特徴とする請求項３に記載のシステムキッチン。
【請求項５】
前記光源は、前記光透過部材の軸線を中心とする円周上に配置された複数のＬＥＤを有することを特徴とする請求項３または４に記載のシステムキッチン。
【請求項６】
前記照明装置は、前記カウンター面上の複数位置に設けられていることを特徴とする請求項１乃至５のいずれか１項に記載のシステムキッチン。
【発明の詳細な説明】
【０００１】
【発明の属する技術分野】
本発明は、システムキッチンに関し、特にシステムキッチンにおける照明に関するものである。
【０００２】
【従来の技術】
従来、システムキッチンでは、調理作業などに必要な照度（明るさ）を確保するために、随時点灯可能な照明装置が適当な位置に常設されている（たとえば、特許文献１および特許文献２を参照）。ＪＩＳで指定された参考値によれば、調理に必要な照度は３００Ｌｘ程度である。ちなみに、読書に必要な照度は７００Ｌｘ程度であり、掃除に必要な照度は４００Ｌｘ程度である。
【０００３】
【特許文献１】
実開昭６３−４２２４４号公報
【特許文献２】
実開平１−１５５８４４号公報
【０００４】
【発明が解決しようとする課題】
本出願人の調査結果によれば、従来の平均的なシステムキッチンにおいて天井に取り付けられた照明などの環境光がない場合、キッチンに取り付けられた照明の直下などのかなり狭い特定領域においてのみ３００Ｌｘ以上の照度が確保されるに過ぎない。また、天井からの環境光やリビングルーム側からの環境光がある場合、３００Ｌｘ以上の照度が確保される領域はある程度広がるが、必ずしもカウンター上の作業面の全体に亘って３００Ｌｘ以上の照度が確保されるわけではない。
【０００５】
一般に、キッチンでは、包丁を用いた細かい調理や、食材のチェックや、小さな文字で書かれたレシピの確認（たとえば読書に類似する作業）や、調理後の清掃（たとえば掃除に類似する作業）などを、様々なタイミングで様々な位置において行う必要がある。上述のＪＩＳ指定の照度参考値および本出願人の調査結果を参照すると、従来のシステムキッチンでは、必要なときに、必要な位置に、必要な照度を確保することができなかった。
【０００６】
本発明は、前述の課題に鑑みてなされたものであり、必要なときに、必要な位置に、必要な照度を確保することのできる照明装置を備えたシステムキッチンを提供することを目的とする。
【０００７】
【課題を解決するための手段】
前記課題を解決するために、本発明では、不要時にはカウンター面下方に埋め込み得る照明装置であって、使用時には該照明装置をカウンター面上方に突出させ得ることを特徴とする照明装置付きシステムキッチンを提供する。この場合、カウンター面下方に埋め込まれた照明装置の上端面を押すとカウンター面上方に突出して点灯状態となることが好ましい。また、本発明では、カウンター面よりも下方に埋め込まれた消灯状態と、前記カウンター面から上方へ突出した点灯状態との間で切り換え可能な照明装置を備えていることを特徴とするシステムキッチンを提供する。
【０００８】
本発明の好ましい態様によれば、前記照明装置は、ほぼ鉛直方向に延びた円筒形状の光透過部材と、該光透過部材を貫通してほぼ鉛直方向に延びた棒状部材と、該棒状部材の上端に設けられた光源とを有する。この場合、前記照明装置は、前記光源を前記光透過部材の上端に近接させて前記光源からの光の大部分を前記光透過部材の内部へ導く第１点灯状態と、前記光源を前記光透過部材の上端から離間させて前記光源からの光の大部分を前記カウンター面へ導く第２点灯状態との間で切り換え可能に構成されていることが好ましい。
【０００９】
また、本発明の好ましい態様によれば、前記光源は、前記光透過部材の軸線を中心とする円周上に配置された複数のＬＥＤを有する。また、前記照明装置は、前記カウンター面上の複数位置に設けられていることが好ましい。
【００１０】
【発明の実施の形態】
本発明のシステムキッチンは、カウンター面よりも下方に埋め込まれた消灯状態と、カウンター面から上方へ突出した点灯状態との間で切り換え可能な照明装置を備えている。したがって、例えばカウンター面上の複数位置に設けられた照明装置のうち、所望位置の照明装置をカウンター面から上方へ引き出して適時点灯させることにより、必要なときに、必要な位置に、必要な照度を確保することができる。
【００１１】
なお、本発明の照明装置は、ほぼ鉛直方向に延びた円筒形状の光透過部材と、この光透過部材を貫通してほぼ鉛直方向に延びた棒状部材と、この棒状部材の上端に設けられた光源とを有することが好ましい。こうして、比較的簡素な構成により、カウンター面よりも下方に埋め込まれた消灯状態と、カウンター面から上方へ突出した点灯状態との間で切り換え可能なチューブ形態の照明装置を実現することができる。
【００１２】
この場合、照明装置は、光源を光透過部材の上端に近接させて光源からの光の大部分を光透過部材の内部へ導く第１点灯状態と、光源を光透過部材の上端から離間させて光源からの光の大部分をカウンター面へ導く第２点灯状態との間で切り換え可能に構成されていることが好ましい。この構成では、比較的単純な操作により、照度分布の全く異なる２つの点灯状態を実現することができる。
【００１３】
また、本発明では、光源が光透過部材の軸線を中心とする円周上に配置された複数のＬＥＤを有することが好ましい。この構成では、実質的に交換不要なＬＥＤを用いて、光透過部材を周方向にほぼ均一に発光させることができる。また、第１点灯状態と第２点灯状態との間で切り換える態様では、第２点灯状態において照明装置の全周に亘ってほぼ均一にカウンター面を照明することができる。
【００１４】
本発明の実施形態を、添付図面に基づいて説明する。
図１は、本発明の実施形態にかかるシステムキッチンの全体構成を概略的に示す斜視図である。また、図２は、本実施形態にかかる照明装置の全体構成および動作を概略的に示す図である。また、図３は、本実施形態にかかる照明装置の要部構成を概略的に示す図である。
【００１５】
本実施形態では、壁に接することなく設置されるアイランド型のシステムキッチンに対して本発明を適用している。アイランド型のシステムキッチンでは、アクセス自由度の高い点が特徴である。図１を参照すると、本実施形態にかかるアイランド型のシステムキッチン１は、床（不図示）の上に載置されたベースキャビネット２を備えている。
【００１６】
ベースキャビネット２の上部には、システムキッチン１に向かって左側（図中右側）から、たとえばＩＨのような加熱調理器３と、シンク４とが設けられている。また、シンク４に隣接して、たとえば湯水混合型の水栓５が設けられている。さらに、本実施形態にかかるシステムキッチン１には、カウンター６の表面よりも下方に埋め込まれた消灯状態と、カウンター６の表面から上方へ突出した点灯状態との間で切り換え可能な複数（図１では例示的に３つ）の照明装置７が設けられている。
【００１７】
照明装置７は、図２および図３に詳細を示すように、ほぼ鉛直方向に延びた円筒形状の光透過部材７ａと、この光透過部材７ａを貫通してほぼ鉛直方向に延びた棒状部材７ｂと、この棒状部材７ｂの上端に設けられた光源７ｃとを有する。ここで、光透過部材７ａは、例えばアクリルパイプにより形成されている。また、棒状部材７ｂは、例えばステンレス鋼パイプにより形成されている。
【００１８】
また、光源７ｃは、光透過部材７ａの軸線（棒状部材７ｂの軸線とほぼ一致）を中心とする円周上に配置された複数（図３では２つだけが表示されている）のＬＥＤ（発光ダイオード）により構成されている。さらに、棒状部材７ｂの上端には、光源としての複数のＬＥＤ７ｃを覆うように把持部７ｄが設けられている。把持部７ｄは、例えば棒状部材７ｂと同じステンレス鋼により有底円筒状に形成されている。
【００１９】
本実施形態の照明装置７は、不要な場合には、図２（ａ）に示すように、カウンター６の表面よりも下方に埋め込まれ消灯状態にある。このとき、照明装置７は、例えばベースキャビネット２の引出し収納部の後方スペースに収まっている。すなわち、照明装置７が不要なときには、消灯状態の照明装置７がカウンター６の表面よりも下方に埋め込まれており、照明装置７がカウンター６上での作業を妨げることはない。
【００２０】
次いで、照明装置７による照明が必要になった場合、図２（ａ）に示すように、把持部７ｄの上端面を軽く下方へ押す。その結果、把持部７ｄの上端面を軽く下方へ押す動作に応答して、図２（ｂ）に示すように、照明装置７のほぼ全体がカウンター６の表面から上方へ突出するとともに、照明装置７が消灯状態から点灯状態へ切り換わる。
【００２１】
図２（ｂ）に示す第１点灯状態では、光源としての複数のＬＥＤ７ｃが光透過部材７ａの上端に近接しており、複数のＬＥＤ７ｃからの光の大部分が光透過部材７ａの内部へ導かれる。この場合、例えばアクリルパイプにより形成された光透過部材７ａが全体的にぼんやりと発光した状態になり、いわゆる間接照明が得られる。
【００２２】
さらに、カウンター６上での作業のために照明装置７からの直接照明が必要になった場合、図２（ｃ）に示すように、把持部７ｄを引っ張り上げる。図２（ｃ）に示す第２点灯状態では、光源としての複数のＬＥＤ７ｃが光透過部材７ａの上端から所定距離だけ離間し、複数のＬＥＤ７ｃからの光の大部分がカウンター６の表面へ直接的に導かれる。なお、照明装置７は、例えばキッチンルームの入口近傍に設けられた主電源またはキッチン本体に組み込まれた主電源に接続され、この主電源のスイッチをオフにすることにより照明装置７への通電を止めることもできる。
【００２３】
以上のように、本実施形態のシステムキッチン１は、カウンター６の表面よりも下方に埋め込まれた消灯状態と、カウンター６の表面から上方へ突出した点灯状態との間で切り換え可能な複数の照明装置７を備えている。したがって、カウンター６の表面上の複数位置に設けられた照明装置７のうち、所望位置の照明装置７をカウンター６の表面から上方へ引き出して適時点灯させることにより、必要なときに、必要な位置に、必要な照度を確保することができる。
【００２４】
また、本実施形態の照明装置７は、光源７ｃを光透過部材７ａの上端に近接させて光源７ｃからの光の大部分を光透過部材７ａの内部へ導く第１点灯状態と、光源７ｃを光透過部材７ａの上端から離間させて光源７ｃからの光の大部分をカウンター６の表面へ導く第２点灯状態との間で切り換え可能に構成されている。
こうして、上述の比較的単純な操作により、照度分布の全く異なる２つの点灯状態、すなわち光透過部材７ａが全体的にぼんやりと発光する演出効果の高い間接照明とカウンター６の表面を直接的に照明する直接照明とを実現することができる。
【００２５】
また、本実施形態の照明装置７では、光源が光透過部材７ａの軸線を中心とする円周上に配置された複数のＬＥＤ７ｃを有する構成が採用されている。したがって、実質的に交換不要なＬＥＤ７ｃを用いて、第１点灯状態では光透過部材７ａを周方向にほぼ均一に発光させることができ、第２点灯状態では照明装置７の全周に亘ってほぼ均一にカウンター６の表面を照明することができる。
【００２６】
なお、上述の実施形態では、照明装置７が、円筒形状の光透過部材７ａと、光透過部材７ａを貫通する棒状部材７ｂと、棒状部材７ｂの上端に設けられた光源７ｃとを備えている。しかしながら、これに限定されることなく、照明装置７の具体的な構成については様々な変形例が可能である。
【００２７】
また、上述の実施形態では、光源７ｃが、光透過部材７ａの軸線を中心とする円周上に配置された複数のＬＥＤを有する。しかしながら、これに限定されることなく、光源７ｃの具体的な構成については様々な変形例が可能である。
【００２８】
また、上述の実施形態では、壁に接することなく設置されるアイランド型のシステムキッチンに対して本発明を適用している。しかしながら、これに限定されることなく、壁に接して設置される従来型のシステムキッチンに対しても本発明を適用することができる。
【００２９】
この場合には、図４において斜線部で示すように、たとえばシンク１１と加熱調理器１２との間においてバックガード１３に接する後方エリア１４、シンク１１と一方の側端との間においてバックガード１３に接する後方エリア１５、加熱調理器１２と他方の側端との間においてバックガード１３に接する後方エリア１６などに、本発明にかかる照明装置を設置することができる。
【００３０】
【発明の効果】
以上説明したように、本発明のシステムキッチンは、カウンター面よりも下方に埋め込まれた消灯状態と、カウンター面から上方へ突出した点灯状態との間で切り換え可能な照明装置を備えている。その結果、例えばカウンター面上の複数位置に設けられた照明装置のうち所望位置の照明装置をカウンター面から上方へ引き出して適時点灯させることにより、必要なときに、必要な位置に、必要な照度を確保することができる。
【００３１】
また、本発明の照明装置では、ほぼ鉛直方向に延びた円筒形状の光透過部材と、この光透過部材を貫通してほぼ鉛直方向に延びた棒状部材と、この棒状部材の上端に設けられた光源とを有する構成を採用すると、比較的簡素な構成に基づいて、カウンター面よりも下方に埋め込まれた消灯状態と、カウンター面から上方へ突出した点灯状態との間で切り換え可能なチューブ形態の照明装置を実現することができる。
【００３２】
また、本発明の照明装置では、光源を光透過部材の上端に近接させて光源からの光の大部分を光透過部材の内部へ導く第１点灯状態と、光源を光透過部材の上端から離間させて光源からの光の大部分をカウンター面へ導く第２点灯状態との間で切り換え可能に構成すると、比較的単純な操作により、照度分布の全く異なる２つの点灯状態を実現することができる。
【００３３】
また、本発明の照明装置では、光源が光透過部材の軸線を中心とする円周上に配置された複数のＬＥＤを有する構成を採用すると、実質的に交換不要なＬＥＤを用いて、第１点灯状態では光透過部材を周方向にほぼ均一に発光させることができ、第２点灯状態では照明装置の全周に亘ってほぼ均一にカウンター面を照明することができる。
【図面の簡単な説明】
【図１】本発明の実施形態にかかるシステムキッチンの全体構成を概略的に示す斜視図である。
【図２】本実施形態にかかる照明装置の全体構成および動作を概略的に示す図である。
【図３】本実施形態にかかる照明装置の要部構成を概略的に示す図である。
【図４】壁に接して設置される従来型のシステムキッチンに対して本発明を適用した場合に本発明の照明装置を設置可能なエリアを模式的に示す図である。
【符号の説明】
１  システムキッチン
２  ベースキャビネット
３  加熱調理器（ＩＨ）
４  シンク
５  水栓
６  カウンター
７  照明装置
７ａ  光透過部材
７ｂ  棒状部材
７ｃ  光源（ＬＥＤ）
７ｄ  把持部
【図１】
2005052166.tif 000003
【図２】
2005052166.tif 000004
【図３】
2005052166.tif 000005
【図４】
2005052166.tif 000006